(57)【要約】【課題】駅の自動改札機を通過する際に、ユーザに対して有益な情報を提供する。【解決手段】ユーザの携帯電話機１に非接触型のＩＣチップ１１を設け、このＩＣチップ１１に、乗車駅及び下車駅を示す定期区間の情報と、ユーザＩＤや住所，氏名等の個人情報を書き込んでおく。また、駅側に設置される自動改札機２にリーダ／ライタ２１を設けると共に、データ管理部３側で路線の各駅に対応する飲食店情報，映画館情報等の各種情報を所定のＷｅｂサイトから収集しておく。そして、ユーザが自動改札機２を通過する際に携帯電話機１をリーダ／ライタ２１に近づけると、データサーバ装置３３が、収集した情報の中から、ユーザの定期区間に対応し、かつ、ユーザが下車駅に到着する予定時刻に対応する情報を選択し、これを自動改札機２のリーダ／ライタ２１を介してユーザの携帯電話機１のＩＣチップ１１に書き込む。【選択図】  図１
2004272621.tif 000002
【特許請求の範囲】
【請求項１】
情報の書き込み及び読み出しが可能な記憶手段と、上記記憶手段から読み出された情報を表示或いは発音するための再生手段とを備えた通信端末装置と、
所定の情報が記憶されたデータベースと、上記データベースに記憶された情報の中から所定の情報を選択する情報選択手段と、上記通信端末装置の上記記憶手段から情報の読み出しを行う読み出し手段と、上記情報選択手段により選択された情報を上記通信端末装置の記憶手段に対して書き込みを行う書き込み手段とを備えたゲート装置とを有し、
上記ゲート装置は、上記読み出し手段により、上記通信端末装置の記憶手段に書き込まれている、少なくとも移動目的地を示す情報を読み出し、
上記情報選択手段により、上記移動目的地と当該ゲート装置の設置地との地理的な間に関連する情報を上記データベースから選択し、上記書き込み手段により、上記通信端末装置の上記記憶手段に書き込み、
上記通信端末装置は、上記記憶手段に書き込まれた上記移動目的地と当該ゲート装置の設置地との地理的な間に関連する情報を、上記再生手段を介して表示或いは発音すること
を特徴とする情報提供システム。
【請求項２】
情報の書き込み及び読み出しが可能な記憶手段と、上記記憶手段に対して情報の書き込み及び読み出しを行う書き込み／読み出し手段と、上記記憶手段から読み出された情報を表示或いは発音するための再生手段と、情報の送受信を行う通信手段とを備えた通信端末装置と、
所定の情報が記憶されたデータベースと、上記データベースに記憶された情報の中から所定の情報を選択する情報選択手段と、上記通信端末装置の通信手段との間で情報の送受信を行う通信手段とを備えたゲート装置とを有し、
上記通信端末装置は、上記書き込み／読み出し手段により、上記記憶手段に書き込まれている、少なくとも移動目的地を示す情報を読み出し、この移動目的地を示す情報を上記通信手段を介して上記ゲート装置に送信し、
上記ゲート装置は、上記通信手段により上記通信端末装置からの上記移動目的地を示す情報を受信し、上記情報選択手段により、上記移動目的地と当該ゲート装置の設置地との地理的な間に関連する情報を上記データベースから選択し、この選択した情報を上記通信手段を介して上記通信端末装置に送信し、
上記通信端末装置は、上記通信手段を介して受信された上記ゲート装置からの上記移動目的地と当該ゲート装置の設置地との地理的な間に関連する情報を、上記再生手段を介して表示或いは発音すること
を特徴とする情報提供システム。
【請求項３】
請求項１又は請求項２記載の情報提供システムであって、
上記ゲート装置は、
上記通信端末装置が移動目的地に到着する到着予定時刻を算出する予定時刻算出手段を有し、
上記情報選択手段により、上記移動目的地と当該ゲート装置の設置地との地理的な間に関連する情報の中から、上記予定時刻算出手段により算出された到着予定時刻に対応する情報をさらに選択すること
を特徴とする情報提供システム。
【請求項４】
請求項３記載の情報提供システムであって、
上記ゲート装置の予定時刻算出手段は、当該ゲート装置の設置地と上記移動目的地までの間の経路に障害が生じている場合は、この障害に対応する遅延時間を算出し、この遅延時間を加算したかたちで上記到着予定時刻を算出すること
を特徴とする情報提供システム。
【請求項５】
ゲート装置を通過する際に、該ゲート装置により、少なくとも移動目的地を示す情報が読み出され、データベースから選択される、上記読み出された移動目的地と当該ゲート装置の設置地との地理的な間に関連する情報の書き込みが行われる記憶手段と、
上記記憶手段に書き込まれた上記移動目的地と当該ゲート装置の設置地との地理的な間に関連する情報を表示或いは発音する再生手段と
を有する通信端末装置。
【請求項６】
少なくとも移動目的地を示す情報が記憶された記憶手段と、
ゲート装置を通過する際に、上記記憶手段から上記移動目的地を示す情報を読み出して上記ゲート装置に送信する送信手段と、
上記ゲート装置によりデータベースから選択された、上記移動目的地と当該ゲート装置の設置地との地理的な間に関連する情報を受信して上記記憶手段に書き込む受信書き込み手段と、
上記受信書き込み手段により、上記記憶手段に書き込まれた上記移動目的地と当該ゲート装置の設置地との地理的な間に関連する情報を表示或いは発音する再生手段と
を有する通信端末装置。
【発明の詳細な説明】
【０００１】
【発明の属する技術分野】
本発明は、例えば電車の自動改札システムや高速道路の料金所に設けられているＥＴＣシステム（Ｅｌｅｃｔｒｏｎｉｃ  Ｔｏｌｌ  Ｃｏｌｌｅｃｔｉｏｎ  Ｓｙｓｔｅｍ）等のように、非接触型ＩＣを用いて通信を行うシステムに適用して好適な情報提供システム及び通信端末装置に関する。
【０００２】
【従来の技術】
今日において、接触型或いは非接触型のＩＣチップが設けられたＩＣカードが知られている。一般的には、この接触型及び非接触型のＩＣチップは、制御部（ＣＰＵ），データ処理用メモリ（ＲＡＭ）及びプログラム用メモリ（ＲＯＭ（ＥＥＰＲＯＭを含む））を有している。また、このＩＣチップは、接触型の場合はインターフェイス部として外部接触端子を有しており、非接触型の場合にはインターフェイス部としてアンテナコイルを有している。
【０００３】
このようなＩＣチップに対する情報の書き込み及び読み出しには、リーダ／ライタが用いられる。
【０００４】
接触型のＩＣチップに対して情報の書き込み及び読み出しを行う場合、リーダ／ライタは、ＩＣチップの外部接触端子に対して所定の回路電圧を印加して該ＩＣチップを駆動状態とする。そして、上記外部接触端子を介して基準となるクロック信号と共に情報を送受信し、該情報の書き込み及び読み出しを行う。
【０００５】
これに対して、非接触型のＩＣチップに対して情報の書き込み及び読み出しを行う場合、リーダ／ライタは、所定の磁界を発生させる。ユーザは、リーダ／ライタに対してＩＣカードを所定の距離だけ近づけ、上記磁界内をＩＣカードが通過するように該ＩＣカードを移動させる。これにより、いわゆる電磁誘導現象によりＩＣチップに電力が発生して駆動状態となる。リーダ／ライタは、この状態で、上記アンテナコイルを介して情報を送受信し、該情報の書き込み及び読み出しを行う。
【０００６】
今日では、このようなＩＣチップの特性を利用して、ＩＣカードは、個人認証を行うＩＤカード、映画やコンサートの電子チケット、電車の定期券（切符）、或いは電子決済を行うプリペイドカード等として用いられている。
【０００７】
なお、ＩＣカードに関する先行技術文献としては、特開２００２−２９８１６９号の公開特許公報を掲げることができる。
【０００８】
【特許文献】
特開２００２−２９８１６９号公報（第４頁〜第６頁、図４）
【０００９】
【発明が解決しようとする課題】
このように、ＩＣチップは、様々な情報の書き込み及び読み出しが可能であるため、ユーザに対して有益な情報を提供可能なシステムの開発が望まれている。
【００１０】
本発明は、上述の課題に鑑みてなされたものであり、様々な情報の書き込み及び読み出しが可能なＩＣチップの特性を利用して、ユーザに対して有益な情報を提供することができるような情報提供システム及び通信端末装置の提供を目的とする。
【００１１】
【課題を解決するための手段】
本発明に係る情報提供システムは、ゲート装置の読み出し手段により、通信端末装置の記憶手段に書き込まれている、少なくとも移動目的地を示す情報を読み出し、情報選択手段により、上記移動目的地と当該ゲート装置の設置地との地理的な間に関連する情報を上記データベースから選択し、上記書き込み手段により、上記通信端末装置の上記記憶手段に書き込む。
【００１２】
上記通信端末装置は、上記記憶手段に書き込まれた上記移動目的地と当該ゲート装置の設置地との地理的な間に関連する情報を再生手段を介して表示或いは発音する。
【００１３】
また、本発明に係る情報提供システムは、通信端末装置が、書き込み／読み出し手段により、記憶手段に書き込まれている、少なくとも移動目的地を示す情報を読み出し、この移動目的地を示す情報を通信手段を介してゲート装置に送信する。
【００１４】
上記ゲート装置は、通信手段により上記通信端末装置からの上記移動目的地を示す情報を受信し、情報選択手段により、上記移動目的地と当該ゲート装置の設置地との地理的な間に関連する情報を上記データベースから選択し、この選択した情報を上記通信手段を介して上記通信端末装置に送信する。
【００１５】
上記通信端末装置は、通信手段を介して受信された上記ゲート装置からの上記移動目的地と当該ゲート装置の設置地との地理的な間に関連する情報を再生手段を介して表示或いは発音する。
【００１６】
また、本発明に係る通信端末装置は、ゲート装置を通過する際に、該ゲート装置により、少なくとも移動目的地を示す情報が読み出され、データベースから選択される、上記読み出された移動目的地と当該ゲート装置の設置地との地理的な間に関連する情報の書き込みが行われる記憶手段を有し、再生手段により、上記記憶手段に書き込まれた上記移動目的地と当該ゲート装置の設置地との地理的な間に関連する情報を表示或いは発音する。
【００１７】
また、本発明に係る通信端末装置は、少なくとも移動目的地を示す情報が記憶された記憶手段と、ゲート装置を通過する際に、上記記憶手段から上記移動目的地を示す情報を読み出して上記ゲート装置に送信する送信手段と、上記ゲート装置によりデータベースから選択された、上記移動目的地と当該ゲート装置の設置地との地理的な間に関連する情報を受信して上記記憶手段に書き込む受信書き込み手段を有し、再生手段により、上記記憶手段に書き込まれた上記移動目的地と当該ゲート装置の設置地との地理的な間に関連する情報を表示或いは発音する。
【００１８】
【発明の実施の形態】
本発明は一例として、電車の自動改札システムに適用することができる。
【００１９】
［自動改札システムの構成］
図１に、本発明の実施の形態となる自動改札システムのブロック図を示す。この図１において、この実施の形態の自動改札システムは、当該システムの通信端末装置となる携帯電話機１と、電車の駅の改札口に設置された自動改札機２と、駅の管理室等に設置されたデータ管理部３とを有している。
【００２０】
〔携帯電話機の構成〕
携帯電話機１は、電磁誘導現象により電力供給がなされ情報の書き込み及び読み出しが行われる非接触型のＩＣチップ１１と、このＩＣチップ１１に対する情報の入力操作及び読み出し操作を行うための操作部１２と、操作部１２の操作に対応してＩＣチップ１１に対して情報の書き込み或いは読み出しを行うリーダ／ライタ１３とを有している。
【００２１】
また、この携帯電話機１は、後に説明するコミュニケーションシステムの無線基地局に対して情報の送受信を行う送受信部１４及びアンテナ１５と、上記ＩＣチップ１１から読み出された情報や、上記操作部１２を介して入力された情報、或いは上記送受信部１４を介して無線基地局から受信された情報等を表示する表示部１６とを有している。
【００２２】
非接触型のＩＣチップ１１は、制御部（ＣＰＵ），データ処理用メモリ（ＲＡＭ）及びプログラム用メモリ（ＲＯＭ（ＥＥＰＲＯＭを含む））を有しており、プログラム用メモリに記憶されているプログラムに基づいて制御部が動作し、データ処理用メモリに対して情報の書き込み及び読み出しを行うようになっている。
【００２３】
また、非接触型のＩＣチップ１１には、アンテナコイルが設けられており、このアンテナコイルを介して給電され、また、情報の送受信を行うようになっている。
【００２４】
なお、この例では、携帯電話機１に非接触型のＩＣチップ１１が設けられていることとして説明を進めるが、これは、接触型のＩＣチップ、或いは非接触型及び接触型を組み合わせたハイブリッド型のＩＣチップを設けるようにしてもよい。
【００２５】
〔自動改札機の構成〕
自動改札機２は、携帯電話機１に設けられている非接触型のＩＣチップ１１に対して情報の書き込み及び読み出しを行うリーダ／ライタ２１と、このリーダ／ライタ２１の書き込み動作及び読み出し動作を制御する送受信制御部２２と、この送受信制御部２２に対して情報の送受信制御を行う制御用サーバ装置２３とを有している。
【００２６】
〔データ管理部の構成〕
データ管理部３は、各ユーザの識別番号（ユーザＩＤ），住所，氏名，年齢，電話番号，嗜好やプリペイド金額等の個人的な情報が記憶されたユーザデータベース３１（ユーザＤＢ）と、飲食店情報（グルメ情報），各地域の天気情報，各映画館で上映されている映画の題名や上映時間の情報，電車の遅延情報や事故情報，電車の混み具合を示す情報等の各種情報が記憶された情報データベース３２（情報ＤＢ）とを有している。
【００２７】
また、このデータ管理部３は、各ＤＢ３１，３２に対する情報の書き込み及び読み出しを制御するデータサーバ装置３３とを有している。
【００２８】
データサーバ装置３３は、インターネット等の所定のネットワークＮＷ上の所定のＷｅｂサイトから上記各種情報を収集し、或いは管理者から入力された上記各種情報を上記ユーザＤＢ３１や情報ＤＢ３２に書き込むようになっている。
【００２９】
また、データサーバ装置３３は、ユーザＤＢ３１及び情報ＤＢ３２に記憶されている各種情報の中から、ユーザの乗車駅（自動改札機２が設けられている駅）及びユーザが携帯電話機１を操作して入力することで指定される下車駅に対応する情報を各ＤＢ３１，３２から読み出し、これを自動改札機２のリーダ／ライタ２１を介してユーザの携帯電話機１のＩＣチップに書き込むことで提供するようになっている。
【００３０】
或いはデータサーバ装置３３は、各ＤＢ３１，３２から読み出したユーザの乗車駅及び下車駅に対応する情報を電子メールのかたちとし、これを、ネットワークＮＷ及びコミュニケーションネットワークＣＮに接続された無線基地局４０を介してそのユーザの携帯電話機１に送信することで、該情報をユーザに対して提供するようになっている。
【００３１】
［自動改札システムの動作］
〔情報ＤＢに対する各種情報の記憶動作〕
まず、この自動改札システムにおいては、データ管理部３に設けられているデータサーバ装置３３が、ネットワークＮＷを介して所定のＷｅｂサイトにアクセスし、各種情報を収集して情報ＤＢ３２に記憶する。
【００３２】
上記所定のＷｅｂサイトとしては、例えば当該自動改札機２が設けられた駅を含む路線等の所定の路線の各駅に近接する映画館，娯楽施設，公共施設，旅行会社等の店舗のＷｅｂサイトや、ニュース，天気予報，占い等のＷｅｂサイトが掲げられる。
【００３３】
データサーバ装置３３は、これらのＷｅｂサイトにアクセスして各種情報を収集して情報ＤＢ３２に記憶すると共に、該各Ｗｅｂサイトに対して常時或いは所定時間置きにアクセスを行い、情報ＤＢ３２に記憶された情報を更新する。これにより、情報ＤＢ３２には、常に最新の店舗情報，ニュース，天気予報等の情報が記憶されることとなる。
【００３４】
なお、情報ＤＢ３２の各種情報としては、公告を希望する店舗の管理者がアップロードするかたちで記憶させるようにしてもよいし、店舗の管理者からの依頼により、当該データ管理部３の管理者が情報を入力して記憶させるようにしてもよい。
【００３５】
また、いずれかの路線で遅延や事故が生じている場合、データ管理部３の管理者は、この遅延，事故情報の入力、及びこの遅延や事故に関連する振替輸送の情報の入力を行う。データサーバ装置３３は、この入力された遅延，事故情報を情報ＤＢ３２に記憶する。
【００３６】
図２は、このようにして情報ＤＢ３２に記憶された各種情報を示す模式図である。この図２に示すように、情報ＤＢ３２には、飲食店情報，映画情報，天気情報等の各種情報が各時間帯毎に記憶される。
【００３７】
なお、この図２の例は、８：００〜１１：００の間は喫茶店Ａにおいてモーニングサービスが実施されていることを示す飲食店情報が記憶され、１１：００〜１３：００の間は中華飯店Ｂにおいてランチサービスが実施されていることを示す飲食店情報が、情報ＤＢ３２に記憶されていることを示している。
【００３８】
また、この図２の例は、１０：００〜１２：００の間は映画館Ａにおいて映画Ｃが上映されていることを示す映画情報が記憶され、１３：００〜１５：００の間は映画館Ｂにおいて映画Ａが上映されていることを示す映画情報が、情報ＤＢ３２に記憶されていることを示している。
【００３９】
さらに、この図２の例は、８：００〜１２：００の間は、ある地域の天候は「曇り」であり、その後、１２：００〜１５：００の間はその地域の天候が「晴れ」となることを示す天気情報が、情報ＤＢ３２に記憶されていることを示している。
【００４０】
〔ユーザＤＢに対する個人情報及びプリペイド情報の記憶動作〕
ユーザＤＢ３１には、ユーザの個人情報が記憶される。
【００４１】
すなわち、携帯電話機１を「定期券」として使用する場合、管理者側のリーダ／ライタにより、携帯電話機１のＩＣチップ１１に対して、ユーザの識別情報（ユーザＩＤ），定期区間を示す情報（乗車駅及び下車駅を示す情報），定期券の有効期限，ユーザの住所，氏名，年齢，電話番号等の個人情報が記憶される。この個人情報は、データ管理部３にも送信され、データサーバ装置３３によりユーザＤＢ３１に記憶される。これにより、その携帯電話機１を定期券として用いることが可能となる。
【００４２】
これに対して、携帯電話機１を「切符」として使用する場合、ユーザは、管理者側に、例えば１０００円，３０００円，５０００円等のプリペイド金額となる金銭の払い込みを行う。
【００４３】
この金銭の払い込みが行われると、管理者側は、リーダ／ライタを介してそのユーザの携帯電話機１のＩＣチップ１１に対して、該払い込まれた金額を示すプリペイド情報の書き込みを行う。このプリペイド情報は、ユーザの住所，氏名，年齢，電話番号等の個人情報と共にデータ管理部３にも送信され、データサーバ装置３３によりユーザＤＢ３１に記憶される。これにより、その携帯電話機１を切符として用いることが可能となる。
【００４４】
〔携帯電話機を定期券として用いる場合のシステム動作〕
次に、携帯電話機１を定期券として用いる場合のシステム動作の流れを図３のフローチャートを用いて説明する。
【００４５】
携帯電話機１を定期券として用いる場合、前述のようにそのユーザの携帯電話機１のＩＣチップ１１及びデータ管理部３の情報ＤＢ３２には、ユーザＩＤ，定期区間を示す情報及び有効期限等の個人情報が記憶される。
【００４６】
ユーザは、通勤や通学時にこの携帯電話機１を携帯し、駅に設置されている上記自動改札機２のリーダ／ライタ２１に携帯電話機１を近づけて、該リーダ／ライタ２１上を通過させる。
【００４７】
これにより、自動改札機２のリーダ／ライタ２１が発生している磁界中を、携帯電話機１に設けられているＩＣチップ１１が通過することとなるため、電磁誘導現象によりＩＣチップ１１に電力が発生し駆動状態となる。
【００４８】
図３に示すフローチャートは、このように携帯電話機１のＩＣチップ１１が駆動状態となることでスタートとなり、ステップＳ１において自動改札機２のリーダ／ライタ２１が、このようにして駆動状態とされた携帯電話機１のＩＣチップ１１から上記個人情報を読み出し、この読み出した個人情報を、送受信制御部２２及び制御用サーバ装置２３を介してデータ管理部３のデータサーバ装置３３に転送する。
【００４９】
前述のように、この個人情報としては、ユーザＩＤの他、定期区間を示す情報が含まれている。このため、データサーバ装置３３は、転送されたユーザＩＤをユーザＤＢ３１に記憶されている各個人情報と照合することでユーザ認証を行う。
【００５０】
また、データサーバ装置３３は、ステップＳ２において、情報ＤＢ３２から電車の遅延，事故情報及び振替輸送に関する情報を読み出し、ステップＳ３において、上記転送された定期区間を示す情報に基づいて、ユーザの定期区間内で電車の遅延や事故が生じているか否かを判別する。
【００５１】
定期区間内で電車の遅延や事故が生じている場合（Ｙｅｓの場合）、データサーバ装置３３は、ステップＳ６において、上記ステップＳ２で取得した遅延，事故に関する情報と、振替輸送に関する情報を自動改札機２の制御用サーバ装置２３に送信する。
【００５２】
これに対して、定期区間内で電車の遅延や事故が生じていない場合（Ｎｏの場合）、データサーバ装置３３は、ステップＳ４において、情報ＤＢ３２から前述の飲食店情報，映画情報，天気情報等の各種情報を読み出し、この読み出した各種情報の中から、ユーザの定期区間に対応し、なおかつ、ユーザが定期区間の最終駅（下車駅＝目的の駅）に到着する予定時刻に対応する情報を選択し、これを自動改札機２の制御用サーバ装置２３に送信する。
【００５３】
すなわち、定期区間は、ユーザが日常的に往来している範囲であり、そのユーザの行動範囲であるとも言える。このため、データサーバ装置３３は、このユーザの定期区間に対応する情報を、上記情報ＤＢ３２に記憶されている多数の情報の中から選択する。
【００５４】
また、この選択した定期区間に対応する情報は、ユーザが目的の駅に到着する時刻によっては無意味な情報もある。例えば、図２の飲食店情報の例を用いて説明すると、ユーザが自動改札機２を通過した時刻が１２：００であるのに、８：００〜１１：００までの間で既に終了している喫茶店Ａのモーニングサービスの情報を提供しても無意味である。同様に、ユーザが自動改札機２を通過した時刻が１２：００であるのに、８：００〜１２：００までの間の天気情報を提供しても、殆ど無意味である。
【００５５】
このため、データサーバ装置３３は、自動改札機２から個人情報が転送された時刻（ユーザが自動改札機２を通過した時刻）に基づいて、ユーザが定期区間の最終駅に到着する予定時刻を算出し、上記選択されたユーザの定期区間に対応する情報の中から、この到着予定時刻に対応する情報をさらに選択し、これを自動改札機２の制御用サーバ装置２３に送信する。
【００５６】
なお、事故や遅延が生じている場合は、必然的に、定期区間の最終駅に到着する時刻が遅れることとなる。このため、データサーバ装置３３は、事故や遅延が生じている場合は、この事故や遅延により予想される分の時間（遅延時間）を、上記算出した到着予定時刻に加算することで、ユーザが目的の駅に到着する時刻を算出する。これにより、事故や遅延が生じている場合でも、適切な情報を選択してユーザに提供することができる。
【００５７】
次に、ステップＳ５では、自動改札機２の制御用サーバ装置２３が、データ管理部３のデータサーバ装置３３から送信された各情報（飲食店情報や映画情報等の他、遅延，事故情報及び振替輸送情報を含む）を送受信制御部２２を介してリーダ／ライタ２１に送信し、リーダ／ライタ２１が、この各情報を、ユーザの携帯電話機１のＩＣチップ１１に書き込み、この図３に示すフローチャートのルーチンの実行が終了する。
【００５８】
次に、このようにＩＣチップ１１に各情報が書き込まれると、ユーザは、ＩＣチップ１１に書き込まれた情報の閲覧が可能となる。この閲覧を行う場合、ユーザは、携帯電話機１の操作部１２を操作して情報の閲覧を指定する。この指定がなされると、リーダ／ライタ１３が、ＩＣチップ１１に書き込まれている情報を読み出し、これを表示部１６に表示する。
【００５９】
これにより、ユーザは、自動改札機２を通過した際に提供された、自己の定期区間及び目的駅の到着予定時刻に対応する有益な情報を閲覧することができる。
【００６０】
このような自動改札システムでは、ユーザの携帯電話機１のＩＣチップに対する上記各情報の書き込みが、ユーザが自動改札機２のリーダ／ライタ２１に携帯電話機１を近づけたタイミング（＝ユーザが自動改札機２を通過したタイミング）で瞬時に行われる。
【００６１】
このため、ユーザは、面倒な取得手続きを必要とすることなく、通常どおり定期券を用いて自動改札機を通過するだけで有益な情報を取得することができる。
【００６２】
なお、以上の説明では、遅延や事故が発生している場合でも、この遅延，事故情報及び振替輸送情報を、飲食店情報や天気情報等の他の情報と共にＩＣチップ１１に書き込むこととしたが、遅延や事故が発生している場合は緊急時であるため、遅延，事故情報及び振替輸送情報のみをＩＣチップ１１に書き込むようにしてもよい（図３のフローチャートのステップＳ６からステップＳ５にかけて図示する点線を参照）。
【００６３】
遅延や事故が発生している場合に、遅延，事故情報及び振替輸送情報を、飲食店情報や天気情報等の他の情報と共にＩＣチップ１１に書き込むこととすると、飲食店情報や天気情報等の他の情報の情報量で、肝心な遅延，事故情報及び振替輸送情報の情報量が侵食される可能性があるが、このように遅延，事故情報及び振替輸送情報のみＩＣチップ１１に書き込むことにより、遅延，事故情報及び振替輸送情報の情報量を増やすことができ、緊急時に本当に必要な情報を充実した内容でユーザに対し提供することができる。
【００６４】
（携帯メールでの送信）
以上の説明では、データサーバ装置３３により選択された各情報を自動改札機２のリーダ／ライタ２１がユーザの携帯電話機１のＩＣチップ１１に書き込むこととしたが、この各情報は、電子メール（携帯メール）のかたちでユーザの携帯電話機１に送信するようにしてもよい。
【００６５】
この場合、ユーザは、操作部１２を操作して、予め自分の携帯電話機１の電子メールアドレス（＝携帯メールアドレス。パーソナルコンピュータ装置等の所望の機器のアドレスでもよい。）を入力しておく。この携帯メールアドレスは、ＩＣチップ１１に記憶され、ユーザが自動改札機２を通過した際に、自動改札機２のリーダ／ライタ２１により読み取られ、データ管理部３のデータサーバ装置３３に送信される。
【００６６】
データサーバ装置３３は、携帯メールアドレスを取得すると、この携帯メールアドレスに対する携帯メールを作成し、この携帯メールに、前述の定期区間に対応する各情報を添付して送信する。
【００６７】
この携帯メールは、ネットワークＮＷ及びユーザの携帯電話機１の携帯電話会社のコミュニケーションネットワークＣＮを介して、無線基地局４０からユーザの携帯電話機１に対して送信される。
【００６８】
ユーザは、この電子メールを閲覧することにより、前述した自己の定期区間に対応する有益な情報を閲覧することができる。
【００６９】
〔携帯電話機を切符として用いる場合のシステム動作〕
次に、携帯電話機１を切符として用いる場合のシステム動作の流れを図４のフローチャートを用いて説明する。
【００７０】
この場合、前述のようにユーザは、予め所定のプリペイド金額を管理者側に払い込む。これにより、ユーザの携帯電話機１のＩＣチップ１１及びデータ管理部３の情報ＤＢ３２に、ユーザＩＤ等の個人情報と共にプリペイド金額を示す情報が記憶される。
【００７１】
ここで、携帯電話機１を切符として用いる場合、管理者側では、そのユーザが下車を希望する駅がわからない。このため、ユーザは、操作部１２を操作して所望の下車駅の入力を行う。この入力された所望の下車駅を示す情報はリーダ／ライタ１３によりＩＣチップ１１に書き込まれる。
【００７２】
なお、この例では、所望の下車駅をユーザが自分で入力することとしたが、これは、例えば駅の券売機等に設けられたリーダ／ライタを介して行うようにしてもよい。
【００７３】
この場合、ユーザは、上記券売機等により所望の下車駅を選択して自分の携帯電話機を上記リーダ／ライタに近づける（或いは、接触させる。）。これにより、リーダ／ライタを介してユーザの携帯電話機に、ユーザが選択した下車駅の情報が書き込まれると共に、ＩＣチップ１１に記憶されているプリペイド金額から運賃が引き落としされることとなる。
【００７４】
次に、ユーザは、このように所望の下車駅を示す情報がＩＣチップ１１に記憶された状態で、上記自動改札機２のリーダ／ライタ２１に携帯電話機１を近づけて該リーダ／ライタ２１上を通過させる。これにより、上述の電磁誘導現象により携帯電話機１のＩＣチップ１１に電力が発生し駆動状態となる。
【００７５】
図４に示すフローチャートは、このように携帯電話機１のＩＣチップ１１が駆動状態となることでスタートとなり、ステップＳ１１において自動改札機２のリーダ／ライタ２１が、このようにして駆動状態とされた携帯電話機１のＩＣチップ１１から上記個人情報及びプリペイド金額情報と共に、下車駅を示す情報を読み出し、この読み出した各情報を、送受信制御部２２及び制御用サーバ装置２３を介してデータ管理部３のデータサーバ装置３３に転送する。
【００７６】
データサーバ装置３３は、上記個人情報が転送されると、ユーザＩＤをユーザＤＢ３１に記憶されている各個人情報と照合することでユーザ認証を行う。
【００７７】
また、データサーバ装置３３は、ステップＳ１２において、情報ＤＢ３２から電車の遅延，事故情報及び振替輸送に関する情報を読み出し、ステップＳ１３において、上記転送された下車駅を示す情報に基づいて、ユーザの乗車駅から下車駅までの乗車区間内で電車の遅延や事故が生じているか否かを判別する。
【００７８】
なお、上記ユーザの乗車駅は、当該自動改札機２が設けられている駅である。この乗車駅を示す情報は、管理者側により予め入力されている。
【００７９】
上記乗車区間内で電車の遅延や事故が生じている場合（Ｙｅｓの場合）、データサーバ装置３３は、ステップＳ１６において、上記ステップＳ１２で取得した遅延，事故に関する情報と、振替輸送に関する情報を自動改札機２の制御用サーバ装置２３に送信する。
【００８０】
これに対して、上記乗車区間内で電車の遅延や事故が生じていない場合（Ｎｏの場合）、データサーバ装置３３は、ステップＳ１４において、情報ＤＢ３２から前述の飲食店情報，映画情報，天気情報等の各種情報を読み出し、この読み出した各種情報の中から、ユーザの乗車区間に対応し、なおかつ、ユーザが下車駅に到着する予定時刻に対応する情報を選択し、これを自動改札機２の制御用サーバ装置２３に送信する。
【００８１】
すなわち、データサーバ装置３３は、上述の「携帯電話機を定期券として用いる場合」と同様に、自動改札機２から各情報が転送された時刻（ユーザが自動改札機２を通過した時刻）に基づいて、ユーザが乗車区間の最終駅（下車駅）に到着する予定時刻を算出し、上記選択されたユーザの乗車区間に対応する情報の中から、この到着予定時刻に対応する情報をさらに選択し、これを自動改札機２の制御用サーバ装置２３に送信する。
【００８２】
なお、事故や遅延が生じている場合は、必然的に、乗車区間の下車駅に到着する時刻が遅れることとなる。このため、データサーバ装置３３は、事故や遅延が生じている場合は、この事故や遅延により予想される分の時間（遅延時間）を、上記算出した到着予定時刻に加算することで、ユーザが下車駅に到着する時刻を算出することは、上述のとおりである。
【００８３】
次に、ステップＳ１５では、自動改札機２の制御用サーバ装置２３が、データ管理部３のデータサーバ装置３３から送信された各情報（飲食店情報や映画情報等の他、遅延，事故情報及び振替輸送情報を含む）を送受信制御部２２を介してリーダ／ライタ２１に送信し、リーダ／ライタ２１が、この各情報を、ユーザの携帯電話機１のＩＣチップ１１に書き込み、この図４に示すフローチャートのルーチンの実行が終了する。
【００８４】
なお、この場合、自動改札機２の制御用サーバ装置２３は、ユーザの携帯電話機１のＩＣチップ１１に対して上記各情報の書き込みを行う際に、該ＩＣチップ１１に記憶されているプリペイド金額から今回のユーザの乗車区間の運賃に対応する金額を減算し、この減算結果となるプリペイド金額を該ＩＣチップ１１に書き込むようにリーダ／ライタ２１を制御する。これにより、今回のユーザの乗車区間の運賃がプリペイド金額から引き落とされる状態で、該運賃の支払いが行われることとなる。
【００８５】
次に、このようにＩＣチップ１１に各情報が書き込まれると、ユーザは、ＩＣチップ１１に書き込まれた情報の閲覧が可能となる。この閲覧を行う場合、ユーザは、携帯電話機１の操作部１２を操作して情報の閲覧を指定する。この指定がなされると、リーダ／ライタ１３が、ＩＣチップ１１に書き込まれている情報を読み出し、これを表示部１６に表示する。
【００８６】
これにより、ユーザは、自動改札機２を通過した際に提供された、今回の乗車区間及び下車駅に到着する予定時刻に対応する有益な情報を閲覧することができる。
【００８７】
なお、遅延や事故が発生している場合に、遅延，事故情報及び振替輸送情報のみをＩＣチップ１１に書き込むようにしてもよいことは上述のとおりである（図４のフローチャートのステップＳ１６からステップＳ１５にかけて図示する点線を参照）。
【００８８】
また、データサーバ装置３３により選択された各情報を携帯電話機１のＩＣチップ１１に書き込む代わりに、携帯メールのかたちでユーザの携帯電話機１に送信してもよいことも、上述のとおりである。
【００８９】
［実施の形態の効果］
以上の説明から明らかなように、この実施の形態の自動改札システムは、携帯電話機１にＩＣチップ１１を設けると共に、自動改札機２にリーダ／ライタ２２を設け、ユーザが自動改札機２を通過した際に、ユーザの定期区間或いは乗車区間に対応し、なおかつ、ユーザが下車駅に到着する予定時刻に対応する各種情報を、該自動改札機２のリーダ／ライタ２２を介してユーザの携帯電話機１のＩＣチップ１１に書き込む。
【００９０】
これにより、ユーザが携帯電話機１を定期券或いは切符として用いて自動改札機２を通過した際に、ユーザの定期区間或いは乗車区間に対応する有益な情報を取得可能とすることができる。
【００９１】
また、電車の事故や遅延等の緊急時における情報も、携帯電話機１のＩＣチップ１１に書き込まれるようになっている。
【００９２】
このような緊急時には、駅の係員が各乗客に対して事故の状況，現在の運行状況や振替輸送の情報等をアナウンスするのが一般的であるが、当該実施の形態の自動改札システムでは、各乗客の携帯電話機１に対して、これらの情報を書き込むことができるため、緊急時に駅の係員がアナウンス等に費やす労力を大幅に軽減することができる。
【００９３】
〔他の適用分野〕
上述の実施の形態の説明では、本発明を、非接触型ＩＣカード機能を有する携帯電話機に適用することとしたが、本発明はこの他、非接触型ＩＣカード機能を備えたＰＨＳ電話機（Ｐｅｒｓｏｎａｌ  Ｈａｎｄｙｐｈｏｎｅ  Ｓｙｓｔｅｍ），非接触型ＩＣカード機能を備えたＰＤＡ（Ｐｅｒｓｏｎａｌ  Ｄｉｇｉｔａｌ（Ｄａｔａ）  Ａｓｓｉｓｔａｎｔ）等の移動体通信端末装置に適用してもよい。
【００９４】
また、上述の実施の形態の説明では、本発明を、電車の自動改札システムに適用することとしたが、本発明は、この他、映画館やイベントパーク等の入場システムや自動車のＥＴＣシステム（Ｅｌｅｃｔｒｏｎｉｃ  Ｔｏｌｌ  Ｃｏｌｌｅｃｔｉｏｎ  Ｓｙｓｔｅｍ）に適用してもよい。この場合でも、上述と同様の効果を得ることができる。
【００９５】
ＥＴＣシステムに本発明を適用する場合には、ゲート側から渋滞情報，観光地情報，名産品情報等の各種情報を、自動車側に設けられているＥＴＣ装置に送信し、このＥＴＣ装置側で上記ゲート側から送信された各種情報の書き込み，読み出し及び表示（或いは発音）を行うこととなる。
【００９６】
さらに、携帯電話機１のＩＣチップ１１に書き込む情報は、文字情報，画像情報の他、音声情報（着信メロディや音楽データ）等でもよい。
【００９７】
最後に、上述の実施の形態は本発明の一例である。このため、本発明は、上述の実施形態に限定されることはなく、該実施の形態以外であっても、本発明に係る技術的思想を逸脱しない範囲であれば、設計等に応じて種々の変更が可能であることは勿論であることを付け加えておく。
【００９８】
【発明の効果】
本発明は、ゲート装置を通過する際に、ユーザに対して有益な情報を提供することができる。
【図面の簡単な説明】
【図１】本発明を適用した実施の形態となる自動改札システムのブロック図である。
【図２】上記実施の形態の自動改札システムのデータ管理部に設けられている情報データベースに時間帯毎に記憶されている各情報の一例を示す図である。
【図３】上記実施の形態の自動改札システムにおいて、携帯電話機を定期券として用いる場合のシステム動作を説明するためのフローチャートである。
【図４】上記実施の形態の自動改札システムにおいて、携帯電話機を切符として用いる場合のシステム動作を説明するためのフローチャートである。
【符号の説明】
１…携帯電話機、２…自動改札機、３…データ管理部、１１…携帯電話機に設けられている非接触型のＩＣチップ、１２…携帯電話機の操作部、１３…携帯電話機のリーダ／ライタ、１４…携帯電話機の送受信部、１５…携帯電話機のアンテナ、１６…携帯電話機の表示部、２１…自動改札機のリーダ／ライタ、２２…自動改札機の送受信制御部、２３…制御用サーバ装置、３１…データ管理部のユーザデータベース（ユーザＤＢ）、３２…データ管理部の情報データベース（情報ＤＢ）、３３…データ管理部のデータサーバ装置、４０…無線基地局、ＮＷ…インターネット等のネットワーク、ＣＮ…携帯電話会社のコミュニケーションネットワーク
【図１】
2004272621.tif 000003
【図２】
2004272621.tif 000004
【図３】
2004272621.tif 000005
【図４】
2004272621.tif 000006